(57)【要約】【課題】強度の低下を招くことなく軽量化が可能な光ディスク装置を提供することを目的とする。【解決手段】光ディスク装置において筐体は、筐体部２ａ、２ｂを組み合わせて袋状に形成されており、筐体部２ｂにおいて制御基板１２が配置される領域では、制御基板１２の形状に合わせて、制御基板１２の面積よりやや小さい面積の穴１３が筐体部２ｂの主平面部に設けられている。すなわち、制御基板１２は筐体部２ｂの主平面部に設けられた穴１３を覆うようにして筐体部２ｂの主平面部上に配置される。【選択図】図１
2005196861.tif 000002
【特許請求の範囲】
【請求項１】
光ディスクを回転させる回転駆動手段、少なくとも光源や各種光学部材を搭載し移動自在に設けられたキャリッジ、第１の開口を設けたカバーを備えた光ピックアップモジュールと、第２の開口を有し前記第２の開口から前記光ピックアップモジュールの少なくとも一部を表出させるように前記光ピックアップモジュールを取り付けたトレイと、前記トレイを出没自在に保持する筐体とを備えた光ディスク装置において、前記筐体を構成する２つの筐体部の主平面部のいずれか一方または両方に穴を設けたことを特徴とする光ディスク装置。
【請求項２】
前記筐体を構成する一方の筐体部の主平面部のうち、制御基板が配置される領域に前記制御基板に対向して穴を設けたことを特徴とする請求項１記載の光ディスク装置。
【請求項３】
前記筐体を構成する一方の筐体部の主平面部のうち、制御基板が配置される領域に前記制御基板の形状に合わせて穴を設けたことを特徴とする請求項１記載の光ディスク装置。
【請求項４】
前記筐体を構成する一方の筐体部の主平面部のうち、制御基板が配置される領域に制御基板の形状に合わせて穴を設け、連結部を設けて前記穴を分割したことを特徴とする請求項１記載の光ディスク装置。
【請求項５】
前記筐体を構成する一方の筐体部の主平面部のうち、制御基板が配置される領域に複数の小径の穴を設けたことを特徴とする請求項１記載の光ディスク装置。
【請求項６】
前記筐体を構成する一方の筐体部の主平面部のうち、フレキシブルプリント基板が配置される領域には複数の小径の穴を設け、フレキシブルプリント基板が配置されない領域には大径の穴を設けるとともに、他方の筐体部の主平面部には大径の穴を設けたことを特徴とする請求項１記載の光ディスク装置。
【請求項７】
前記筐体を構成するいずれの筐体部の主平面部にも複数の小径の穴を設けたことを特徴とする請求項１記載の光ディスク装置。
【請求項８】
前記穴が設けられた領域にシートが貼られていることを特徴とする請求項１から６のいずれかに記載の光ディスク装置。
【請求項９】
前記シートは導電性シートであることを特徴とする請求項７記載の光ディスク装置。
【発明の詳細な説明】
【技術分野】
【０００１】
本発明は光ピックアップにより光ディスクの情報を記録再生する光ディスク装置に関する。
【背景技術】
【０００２】
光ディスク装置は、ＣＤ−ＲＯＭ、ＣＤ−Ｒ／ＲＷ、ＤＶＤなどがすでに実用化されており、各方面への応用と高性能化への開発が活発に行われている。特に最近では、パーソナルコンピュータの急速な市場拡大に伴い光ディスク装置のパーソナルコンピュータへの内蔵普及率も高くなっている。
【０００３】
従来の光ディスク装置の斜視図を図１０に示す。
【０００４】
図１０において、１は光ディスク装置で、光ディスク装置１は、筐体２と、筐体２に出没自在に保持されたトレイ３とを有している。筐体２は、金属製の筐体部２ａ、２ｂを組み合わせて袋状であり、筐体２の開口からトレイ３が出没する構成となっている。トレイ３には裏面から光ピックアップモジュール４が取り付けられている。トレイ３の両側部には移動自在にレール３ａが設けられ、このレール３ａはトレイ３に一体に設けられたレール保持部３ｂに保持されている。なお、図１０では一方の側部にのみレール３ａが設けられているが、他方の側部に同様のレールが設けられていてもよい。
【０００５】
筐体部２ａと筐体部２ｂとは図示していない係止手段と螺旋などを用いて、互いに強固に固定されている。
【０００６】
光ピックアップモジュール４には光ディスクを回転駆動させるスピンドルモータ５と、スピンドルモータ５から外周にかけて開口６ａを設けた金属製のカバー６と、開口６ａから一部が露出したキャリッジ７とを少なくとも有している。キャリッジ７は光ピックアップモジュール４に設けられた複数の案内シャフトに移動自在に保持されており、しかも図示していないフィードモータによって、スピンドルモータ５に近づいたり、離れたりするように移動できる。８はトレイ３の前面に設けられたベゼルで、ベゼル８は筐体２の開口を塞ぐ程度の大きさで構成されている。
【０００７】
キャリッジ７には、高出力のレーザーダイオード等の光源，各種光学部材及び光ディスク上に光スポットを構成する対物レンズなどが搭載されている。
【０００８】
図１１に従来の光ディスク装置の外観平面図を示す。図１１（ａ）は筐体部２ａ側から見た図であり、図１１（ｂ）は筐体部２ｂ側から見た図である。図１２は従来の光ディスク装置の筐体内に、光ディスクをドライブするための制御基板が設けられている様子を示す図である。図１２（ａ）は筐体部２ａ側から見た図であり、図１２（ｂ）は筐体部２ｂ側から見た図である。１１は光ディスク装置１をパーソナルコンピュータ等の電子機器に取り付けるためのコネクタである。図１３は従来の光ディスク装置において、トレイを筐体から引き出した状態での平面図である。
【０００９】
光ディスク装置は、近年のパーソナルコンピュータの小型化に伴って、小型で軽量なものが求められている。特に、ノート型パソコンにおいては持ち運びに便利なように軽量化の要求が高い。軽量化は使用する材料を考慮することによってある程度は達成できるが、使用できる材料は比較的限られており、材料の選択による軽量化には自ずから限度がある。
【００１０】
一方、光ディスク装置のカバーに通気のための穴を設けたものが（特許文献１）に記載されている。
【特許文献１】実用新案登録第２５１３５６７号公報
【発明の開示】
【発明が解決しようとする課題】
【００１１】
しかし、この光ディスク装置は電源回路基板収納部に近い部分のカバーに通気穴を設けて装置外部との通気を保ち、放熱効果を高めたものであり、光ディスク装置の軽量化に直接つながるものではない。
【００１２】
本発明は、上記の課題を解決するためになされたもので、強度の低下を招くことなく軽量化が可能な光ディスク装置を提供することを目的とする。
【課題を解決するための手段】
【００１３】
本発明は、上記の課題を解決するためになされたもので、光ディスクを回転させる回転駆動手段、少なくとも光源や各種光学部材を搭載し移動自在に設けられたキャリッジ、第１の開口を設けたカバーを備えた光ピックアップモジュールと、第２の開口を有し前記第２の開口から前記光ピックアップモジュールの少なくとも一部を表出させるように前記光ピックアップモジュールを取り付けたトレイと、前記トレイを出没自在に保持する筐体とを備えた光ディスク装置において、前記筐体を構成する２つの筐体部の主平面部のいずれか一方または両方に穴を設けたことを特徴とする光ディスク装置である。
【００１４】
筐体を構成する２つの筐体部の主平面部のいずれか一方または両方に穴を設けることにより、一般的に金属材料を用いて形成される筐体の重量を軽くすることができ、光ディスク装置の軽量化を実現することができる。
【発明の効果】
【００１５】
本発明によると、筐体を構成する２つの筐体部の主平面部のいずれか一方または両方に穴を設けることにより、一般的に金属材料を用いて形成される筐体の重量を軽くすることができ、光ディスク装置の軽量化を実現することができる。
【発明を実施するための最良の形態】
【００１６】
本発明の請求項１の発明は、光ディスクを回転させる回転駆動手段、少なくとも光源や各種光学部材を搭載し移動自在に設けられたキャリッジ、第１の開口を設けたカバーを備えた光ピックアップモジュールと、第２の開口を有し前記第２の開口から前記光ピックアップモジュールの一部を表出させるように前記光ピックアップモジュールを取り付けたトレイと、前記トレイを出没自在に保持する筐体とを備えた光ディスク装置において、前記筐体を構成する２つの筐体部の主平面部のいずれか一方または両方に穴を設けたことを特徴とする光ディスク装置である。
【００１７】
筐体を構成する２つの筐体部の主平面部のいずれか一方または両方に穴を設けることにより、一般的に金属材料を用いて形成される筐体の重量を軽くすることができ、光ディスク装置の軽量化を実現することができる。
【００１８】
本発明の請求項２の発明は、請求項１の発明の光ディスク装置において、前記筐体を構成する一方の筐体部の主平面部のうち、制御基板が配置される領域に前記制御基板に対向して穴を設けたことを特徴とする。
【００１９】
制御基板が配置される領域では、制御基板によって機械的強度が確保されるため、強度
の低下を招くことなく軽量化が可能な光ディスク装置を実現することができる。
【００２０】
本発明の請求項３の発明は、請求項１の発明の光ディスク装置において、前記筐体を構成する一方の筐体部の主平面部のうち、制御基板が配置される領域に制御基板の形状に合わせて穴を設けたことを特徴とする。
【００２１】
制御基板が配置される領域では、制御基板によって機械的強度が確保されるため、強度の低下を招くことなく軽量化が可能な光ディスク装置を実現することができる。
【００２２】
本発明の請求項４の発明は、請求項１の発明の光ディスク装置において、前記筐体を構成する一方の筐体部の主平面部のうち、制御基板が配置される領域に制御基板の形状に合わせて穴を設け、連結部を設けて前記穴を分割したことを特徴とする。
【００２３】
連結部を設けることにより、筐体部の主平面部に穴を設けたことによる強度の低下を防ぐことができる。
【００２４】
本発明の請求項５の発明は、請求項１の発明の光ディスク装置において、前記筐体を構成する一方の筐体部の主平面部のうち、制御基板が配置される領域に複数の小径の穴を設けたことを特徴とする。
【００２５】
複数の小径の穴を設けることにより、強度の確保と軽量化とのバランスをとりながら光ディスク装置の軽量化を図ることができる。
【００２６】
本発明の請求項６の発明は、請求項１の発明の光ディスク装置において、前記筐体を構成する一方の筐体部の主平面部のうち、フレキシブルプリント基板が配置される領域には複数の小径の穴を設け、フレキシブルプリント基板が配置されない領域には大径の穴を設けるとともに、他方の筐体部の主平面部には大径の穴を設けたことを特徴とする。
【００２７】
フレキシブルプリント基板が配置される領域には複数の小径の穴を設けることによって、フレキシブルプリント基板と筐体部の主平面部との接触面積を確保しつつ、光ディスク装置の軽量化を図ることができる。
【００２８】
本発明の請求項７の発明は、請求項１の発明の光ディスク装置において、前記筐体を構成するいずれの筐体部の主平面部にも複数の小径の穴を設けたことを特徴とする。
【００２９】
この構成により、フレキシブルプリント基板と筐体部の主平面部との接触面積を確保しつつ、光ディスク装置の軽量化を図ることができる。
【００３０】
本発明の請求項８の発明は、請求項１から６のいずれかの発明の光ディスク装置において、前記穴が設けられた領域にシートが貼られていることを特徴とする。
【００３１】
穴が設けられた領域にシートが貼られていることにより、筐体内にゴミが侵入することを防止することができ、ゴミの侵入による光ディスク装置の性能劣化を防止することができる。また、シートが貼られていることにより、光ピックアップモジュールから発せられるレーザ光が穴によって散乱されて迷光が発生することを防止することができる。
【００３２】
本発明の請求項９の発明は、請求項７の発明の光ディスク装置において、前記シートは導電性シートであることを特徴とする。
【００３３】
導電性シートを用いることにより、筐体内を電気的に遮蔽することができ、筐体内に電
磁波が侵入して光ディスク装置の性能が劣化することを防止するとともに筐体内からの電磁波の放出による周辺機器の誤動作を防止することができる。
【００３４】
（実施の形態１）
以下、本発明における光ディスク装置の実施の形態１について説明する。
【００３５】
図１は本発明の実施の形態１に係る光ディスク装置の筐体２内に、光ディスクをドライブするための制御基板１２が設けられている様子を示す図である。図１（ａ）は筐体部２ａ側から見た図であり、図１（ｂ）は筐体部２ｂ側から見た図である。１１は光ディスク装置１をパーソナルコンピュータ等の電子機器に取り付けるためのコネクタである。この実施の形態においては、制御基板１２が配置される領域では、制御基板１２の形状に合わせて、制御基板１２の面積よりやや小さい面積の穴が筐体部２ｂの主平面部に設けられている。すなわち、制御基板１２は筐体部２ｂの主平面部に設けられた穴１３を覆うようにして筐体部２ｂの主平面部上に配置される。図２は本発明の実施の形態１に係る光ディスク装置において、トレイを筐体から引き出した状態での平面図である。
【００３６】
制御基板１２が配置される領域では、筐体部２ｂに穴１３を設けても制御基板１２によって光ディスク装置の機械的強度を確保することができ、かつ、穴１３を設けることによって光ディスク装置の軽量化が可能となる。
【００３７】
筐体２の構成材料としては鉄，鉄合金，アルミ，アルミ合金，マグネシウム合金などの金属材料の様な導電材料が好適に用いられる。また、樹脂材料で各筐体部を構成し、その上に電着などの手法を用いて導電性の高い金属膜を形成したものを用いても良い。更に、筐体部２ａ及び筐体部２ｂそれぞれ同種の材料で構成しても良いし、異種の材料で構成しても良い。また、筐体部２ａ及び筐体部２ｂそれぞれの主平面部の平均肉厚は０．３ｍｍ〜１．６ｍｍの間であり、この平均肉厚の比較的薄い場合には筐体部２ａ及び筐体部２ｂは金属材料で構成され、例えば、金属板をプレス加工などによって形成される。また、平均肉厚の比較的厚い場合には筐体部２ａ及び筐体部２ｂはダイカスト（アルミ，マグネシウム合金など）で構成される。
【００３８】
図３に、本発明の実施の形態１に係る光ディスク装置の外観平面図を示す。図３（ａ）は筐体部２ｂの主平面部に穴１３が設けられている状況を示し、図３（ｂ）はこの穴１３を覆うようにシート１４が貼られた様子を示す。このシート１４は、穴１３を筐体部２ｂの主平面部に設けたことによってゴミが筐体２内に侵入することを防止するとともに、電磁波が筐体２内に侵入することを防止するとともに筐体２内からの電磁波の放出を防止するために設けられるものである。電磁波の侵入、放出を有効に防止するためには、シート１４を導電性シートとすることが好ましい。
【００３９】
（実施の形態２）
以下、本発明における光ディスク装置の実施の形態２について説明する。
【００４０】
図４に、本発明の実施の形態２に係る光ディスク装置の外観平面図を示す。図４（ａ）に示すように、本実施の形態においても、制御基板１２の形状に合わせて、制御基板１２の面積よりやや小さい面積の穴が筐体部２ｂの主平面部に設けられているが、連結部１５によって穴１３が複数の区画に分割されている。このような連結部１５を設けることによって、穴１３が設けられた領域での光ディスク装置１の機械的強度を高めつつ、穴１３を設けることによる光ディスク装置の軽量化が可能となる。
【００４１】
筐体２の構成材料については、実施の形態１と同様である。
【００４２】
図４（ｂ）は筐体部２ｂの主平面部にこの穴１３を覆うようにシート１４が貼られた様子を示す。このシート１４は、穴１３を筐体部２ｂの主平面部に設けたことによってゴミが筐体２内に侵入することを防止するとともに、電磁波が筐体２内に侵入することと、電磁波が筐体２内から放出されることを防止するために設けられるものである。電磁波の侵入、放出を有効に防止するためには、シート１４を導電性シートとすることが好ましい。
【００４３】
（実施の形態３）
以下、本発明における光ディスク装置の実施の形態３について説明する。
【００４４】
図５に、本発明の実施の形態３に係る光ディスク装置の外観平面図を示す。図５（ａ）に示すように、本実施の形態においては、制御基板１２が配置される領域では、制御基板１２の形状に合わせて、複数個の小径の円形穴１６が筐体部２ｂの主平面部に設けられている。すなわち、制御基板１２は筐体部２ｂの主平面部に設けられた複数個の小径の円形穴１６によって形成される領域を覆うようにして筐体部２ｂの主平面部上に配置される。このような複数個の小径の円形穴１６を設けることによって、円形穴１６が設けられた領域での光ディスク装置１の機械的強度を高めつつ、円形穴１６を設けることによって光ディスク装置１の軽量化が可能となる。円形穴１６の径と個数は、強度の確保と軽量化とのバランスをとりながら適宜定めることができる。また穴の形状は円形に限定されるものではなく、他の形状であってもよい。
【００４５】
図５（ｂ）は筐体部２ｂの主平面部にこの円形穴１６が設けられた領域を覆うようにシート１４が貼られた様子を示す。このシート１４は、穴１３を筐体部２ｂの主平面部に設けたことによってゴミが筐体２内に侵入することを防止するとともに、電磁波が筐体２内に侵入することと、電磁波が筐体２内から放出されることを防止するために設けられるものである。電磁波の侵入、放出を有効に防止するためには、シート１４を導電性シートとすることが好ましい。
【００４６】
筐体２の構成材料については、実施の形態１と同様である。
【００４７】
（実施の形態４）
以下、本発明における光ディスク装置の実施の形態４について説明する。
【００４８】
図６に、本発明の実施の形態４に係る光ディスク装置の外観平面図を示す。図６（ａ）に、本実施の形態に係る光ディスク装置を筐体部２ａ側から見た外観平面図を示し、図６（ｂ）に、本実施の形態に係る光ディスク装置を筐体部２ｂ側から見た外観平面図を示す。
【００４９】
図６に示すように、本実施の形態においては、筐体部２ａの主平面部にはいくつかの区分に分割された穴１３が設けられている。また、筐体部２ｂの主平面部には、フレキシブルプリント基板１７が配置される領域には複数の小径の円形穴１６が設けられ、フレキシブルプリント基板１７が配置されない領域には、いくつかの区分に分割された穴１３が設けられている。筐体部２ｂの主平面部において、フレキシブルプリント基板１７が配置される領域には複数の小径の円形穴１６を設けているのは、フレキシブルプリント基板１７を筐体部２ｂの主平面部上に配置する際に必要となる、フレキシブルプリント基板１７と筐体部２ｂの主平面部との接触面積を確保するためである。円形穴１６の径と個数は、強度の確保と軽量化とのバランスをとりながら適宜定めることができる。また穴の形状は円形に限定されるものではなく、他の形状であってもよい。
【００５０】
図７に、本発明の実施の形態４に係る光ディスク装置の外観平面図を示す。図７（ａ）に、本実施の形態において、筐体部２ａの主平面部にいくつかの区分に分割された穴１３
が設けられた領域を覆うようにシート１４が貼られた様子を示す。また、図７（ｂ）に、本実施の形態において、筐体部２ｂの主平面部に、いくつかの区分に分割された穴１３が設けられた領域と、複数の小径の円形穴１６が設けられた領域を覆うようにシート１４が貼られた様子を示す。
【００５１】
このシート１４は、穴１３を筐体部２ａの主平面部に設け、穴１３、円形穴１６を筐体部２ｂの主平面部に設けたことによってゴミが筐体２内に侵入することを防止するとともに、電磁波が筐体２内に侵入することと、電磁波が筐体２内から放出されることを防止するために設けられるものである。電磁波の侵入、放出を有効に防止するためには、シート１４を導電性シートとすることが好ましい。
【００５２】
本実施の形態では、筐体部２ｂの主平面部ばかりでなく、筐体部２ａの主平面部にも穴１３を全面的に設けているため、さらに光ディスク装置１の軽量化を図ることができる。また、シート１４で覆われているため、光ピックアップモジュール４から発せられるレーザ光が穴によって散乱されて迷光が発生することを防止することができる。
【００５３】
筐体２の構成材料については、実施の形態１と同様である。
【００５４】
（実施の形態５）
以下、本発明における光ディスク装置の実施の形態５について説明する。
【００５５】
図８に、本発明の実施の形態５に係る光ディスク装置の外観平面図を示す。図８（ａ）に、本実施の形態に係る光ディスク装置を筐体部２ａ側から見た外観平面図を示し、図８（ｂ）に、本実施の形態に係る光ディスク装置を筐体部２ｂ側から見た外観平面図を示す。
【００５６】
図８に示すように、本実施の形態においては、筐体部２ａの主平面部と筐体部２ｂの主平面部には、複数の小径の円形穴１６が設けられている。筐体部２ｂの主平面部において、フレキシブルプリント基板１７が配置される領域には複数の小径の円形穴１６を設けているため、フレキシブルプリント基板１７を筐体部２ｂの主平面部上に配置する際に必要となる、フレキシブルプリント基板１７と筐体部２ｂの主平面部との接触面積を確保することができる。円形穴１６の径と個数は、強度の確保と軽量化とのバランスをとりながら適宜定めることができる。また穴の形状は円形に限定されるものではなく、他の形状であってもよい。
【００５７】
図９に、本発明の実施の形態５に係る光ディスク装置の外観平面図を示す。図９（ａ）に、本実施の形態において、筐体部２ａの主平面部に複数の小径の円形穴１６が設けられた領域を覆うようにシート１４が貼られた様子を示す。また、図９（ｂ）に、本実施の形態において、筐体部２ｂの主平面部に複数の小径の円形穴１６が設けられた領域を覆うようにシート１４が貼られた様子を示す。
【００５８】
このシート１４は、円形穴１６を筐体部２ａの主平面部と筐体部２ｂの主平面部に設けたことによってゴミが筐体２内に侵入することを防止するとともに、電磁波が筐体２内に侵入することを防止するために設けられるものである。電磁波の侵入、放出を有効に防止するためには、シート１４を導電性シートとすることが好ましい。
【００５９】
本実施の形態では、筐体部２ｂの主平面部ばかりでなく、筐体部２ａの主平面部にも円形穴１６を全面的に設けているため、さらに光ディスク装置１の軽量化を図ることができる。また、シート１４で覆われているため、光ピックアップモジュール４から発せられるレーザ光が穴によって散乱されて迷光が発生することを防止することができる。
【００６０】
筐体２の構成材料については、実施の形態１と同様である。
【産業上の利用可能性】
【００６１】
本発明は光ピックアップにより光ディスクの情報を記録再生する光ディスク装置として利用され、光ディスク装置の軽量化が可能である。
【図面の簡単な説明】
【００６２】
【図１】本発明の実施の形態１に係る光ディスク装置の筐体内に、光ディスクをドライブするための制御基板が設けられている様子を示す図
【図２】本発明の実施の形態１に係る光ディスク装置において、トレイを筐体から引き出した状態での平面図
【図３】本発明の実施の形態１に係る光ディスク装置の外観平面図
【図４】本発明の実施の形態２に係る光ディスク装置の外観平面図
【図５】本発明の実施の形態３に係る光ディスク装置の外観平面図
【図６】本発明の実施の形態４に係る光ディスク装置の外観平面図
【図７】本発明の実施の形態４に係る光ディスク装置の外観平面図
【図８】本発明の実施の形態５に係る光ディスク装置の外観平面図
【図９】本発明の実施の形態５に係る光ディスク装置の外観平面図
【図１０】従来の光ディスク装置の斜視図
【図１１】従来の光ディスク装置の外観平面図
【図１２】従来の光ディスク装置の筐体内に、光ディスクをドライブするための制御基板が設けられている様子を示す図
【図１３】従来の光ディスク装置において、トレイを筐体から引き出した状態での平面図
【符号の説明】
【００６３】
１    光ディスク装置
２    筐体
２ａ、２ｂ    筐体部
３    トレイ
３ａ    レール
３ｂ    レール保持部
３ｃ    開口
４    光ピックアップモジュール
５    スピンドルモータ
６    カバー
６ａ    開口
７    キャリッジ
８    ベゼル
９    光ディスク
１１    コネクタ
１２    制御基板
１３    穴
１４    シート
１５    連結部
１６    円形穴
１７    フレキシブルプリント基板
【図１】
2005196861.tif 000003
【図２】
2005196861.tif 000004
【図３】
2005196861.tif 000005
【図４】
2005196861.tif 000006
【図５】
2005196861.tif 000007
【図６】
2005196861.tif 000008
【図７】
2005196861.tif 000009
【図８】
2005196861.tif 000010
【図９】
2005196861.tif 000011
【図１０】
2005196861.tif 000012
【図１１】
2005196861.tif 000013
【図１２】
2005196861.tif 000014
【図１３】
2005196861.tif 000015